(57)【要約】【課題】ユーザーが３Ｄの出力モード設定を誤った場合にＯＳＤが視認できなくなる状況を回避する。【解決手段】２Ｄモードにて映像を表示中に３Ｄモードにかかる出力フォーマットの選択をユーザーから受付けると、出力モードを３Ｄモードに変更し、前記出力フォーマットに基づく３Ｄ映像の出力処理を開始する３Ｄテレビ１００において、出力フォーマットと入力フォーマットとの一致判定を行い、フォーマットの一致を検出すると出力モードを３Ｄモードに確定し、フォーマットの不一致を検出すると３Ｄモードの映像の出力処理をタイムアウトして出力モードを２Ｄモードに戻すようになっている。【選択図】図３
2012244571.tif 000002
【特許請求の範囲】
【請求項１】
２Ｄモードにて映像を表示中に３Ｄモードにかかる出力フォーマットの選択をユーザーから受付けると、出力モードを３Ｄモードに変更し、前記出力フォーマットに基づく３Ｄ映像の出力処理を開始する立体映像表示装置において、
前記出力フォーマットと当該立体映像表示装置に入力されている映像のフォーマットとの一致判定を行うフォーマット一致判定部と、
前記フォーマット一致判定部がフォーマットの一致を検出すると出力モードを３Ｄモードに確定し、前記フォーマット一致判定部がフォーマットの不一致を検出すると前記３Ｄモードの映像の出力処理をタイムアウトして出力モードを２Ｄモードに戻すタイムアウト部と、
を備えることを特徴とする立体映像表示装置。
【請求項２】
前記フォーマット一致判定部は、当該立体映像表示装置に入力されている映像に付されているタグ情報に基づいて当該映像のフォーマットを特定する請求項１に記載の立体映像表示装置。
【請求項３】
前記フォーマット一致判定部は、各３Ｄフォーマットにおいて左目用画像が合成されるべき範囲のフレーム画像と右目用画像が合成されるべき範囲のフレーム画像とを視差量を考慮しつつ比較し、一定以上の類似度合を示した３Ｄフォーマットを、当該立体映像表示装置に入力されている映像のフォーマットと特定する請求項１または請求項２に記載の立体映像表示装置。
【請求項４】
当該立体映像表示装置は、左目用画像と右目用画像とが１枚のフレーム画像に合成された３Ｄ映像に対して画質調整を行う第１映像処理チップと、前記３Ｄ映像から左目用画像と右目用画像をそれぞれ復元する第２映像処理チップと、を備えており、前記第１映像処理チップにおいて前記フレーム画像にＯＳＤ画像（オンスクリーンディスプレイ画像）を重畳する構成とされ、
前記フォーマット一致判定部は、当該立体映像表示装置に入力されている映像のフォーマットに応じた位置に視認可能か否かを問合せるＯＳＤ画像を重畳し、当該ＯＳＤ画像の表示から所定時間内に所定の操作入力があればフォーマットが一致しているものと判定し、当該ＯＳＤ画像の表示から所定時間内に所定の操作入力が無い場合はフォーマットが不一致であるものと判定することを特徴とする請求項１に記載の立体映像表示装置。
【発明の詳細な説明】
【技術分野】
【０００１】
本発明は立体映像表示装置に関し、特に、２Ｄモードにて映像を表示中に３Ｄモードにかかる出力フォーマットの選択をユーザーから受付けると、出力モードを３Ｄモードに変更し、前記出力フォーマットに基づく３Ｄ映像の出力処理を開始する立体映像表示装置に関する。
【背景技術】
【０００２】
近年、３Ｄテレビ等のように２Ｄ映像と３Ｄ映像とを表示可能な映像表示装置が販売されている。ここで、テレビ放送等の映像ソースにおいては、番組を３Ｄ映像で放送しつつコマーシャルは２Ｄ映像で放送する等、２Ｄ映像と３Ｄ映像とが混在することがある。そこで、２Ｄ映像と３Ｄ映像とを識別して、２Ｄ表示と３Ｄ表示とを切換えたり、２Ｄ映像から３Ｄ映像を生成して視聴環境に応じた映像情報を提供したりする技術が特許文献１〜５に開示されている。
【先行技術文献】
【特許文献】
【０００３】
【特許文献１】特開２０１０−２５８８４８号公報
【特許文献２】特開２０１１−２８７９１号公報
【特許文献３】特開２０１０−２８８２３４号公報
【特許文献４】特開２００４−３４３２９０号公報
【特許文献５】特開２０１１−２９７０１号公報
【発明の概要】
【発明が解決しようとする課題】
【０００４】
多くの３Ｄテレビでは、輝度調整やコントラスト調整等の各種の映像処理を行うＳｏＣ（システムオンチップ）と、フレームレートの変換を行うＦＲＣ（フレームレートコンバーター）と、の２チップ構成で映像処理を行っており、このような３Ｄテレビでは、映像に対するＯＳＤ（オンスクリーンディスプレイ）画像の重畳をＳｏＣにて行うことが多い。ここで、３Ｄテレビに入力される３Ｄ映像には、「Ｓｉｄｅ  ｂｙ  Ｓｉｄｅ方式（以下、ＳｂｙＳと略す。）」、「Ｔｏｐ  ＆  Ｂｏｔｔｏｍ方式（以下、Ｔ＆Ｂと略す。）」、「ＨＤＭＩ１．４  Ｆｒａｍｅ  Ｐａｃｋｉｎｇ方式（以下、ＨＤＭＩと略す。）」３種類がある。
【０００５】
図７は、ＳｂｙＳの映像処理を説明する図である。同図に示すように、ＳｂｙＳの３Ｄ映像においては、幅方向を半分に圧縮した左目用圧縮画像と幅方向を半分に圧縮した右目用圧縮画像とを、左右に並べて１枚のフレーム画像（以下、ＳｂｙＳフレーム画像と記載する。）としてある。ＳｏＣは、当該フレーム画像に対して各種の映像処理を行ってＦＲＣに出力する。
【０００６】
ＳｏＣは、ＳｂｙＳフレーム画像の入力中にＯＳＤの重畳を指示されると、ＯＳＤ画像の幅方向を半分に圧縮した圧縮ＯＳＤ画像を生成し、当該圧縮ＯＳＤ画像を左目用圧縮画像の所定位置と右目用圧縮画像の所定位置とにそれぞれ重畳し、圧縮ＯＳＤ画像が重畳されたＳｂｙＳフレーム画像をＦＲＣに出力することになる。
【０００７】
ＦＲＣは、ＳｂｙＳフレーム画像の左半分を切り出して幅方向を２倍に拡大することにより左目用原画像を復元し、ＳｂｙＳフレーム画像の右半分を切り出して幅方向を２倍に拡大することにより右目用原画像を復元する。このようにして復元した左目用原画像と右目用原画像を、アクティブ方式においては交互に出力し、パッシブ方式においては水平ラインの奇数・偶数ラインごとに左眼用/右眼用の映像を配置して出力する。
【０００８】
図８は、Ｔ＆Ｂの映像処理を説明する図である。同図に示すように、Ｔ＆Ｂの３Ｄ映像は、高さ方向を半分に圧縮した左目用圧縮画像と高さ方向を半分に圧縮した右目用圧縮画像とを、上下に並べて１つのフレーム画像（以下、Ｔ＆Ｂフレーム画像と記載する。）としてある。ＳｏＣは、当該フレーム画像に対して各種の映像処理を行ってＦＲＣに出力する。
【０００９】
ＳｏＣは、Ｔ＆Ｂフレーム画像の入力中にＯＳＤの重畳を指示されると、ＯＳＤ画像の高さ方向を半分に圧縮した圧縮ＯＳＤ画像を生成し、当該圧縮ＯＳＤ画像を左目用圧縮画像の所定位置と右目用圧縮画像の所定位置とにそれぞれ重畳し、圧縮ＯＳＤ画像が重畳されたＴ＆Ｂフレーム画像をＦＲＣに出力する。
【００１０】
ＦＲＣは、Ｔ＆Ｂフレーム画像の上半分を切り出して高さ方向を２倍に拡大することにより左目用原画像を復元し、Ｔ＆Ｂフレーム画像の下半分を切り出して高さ方向を２倍に拡大することにより右目用原画像を復元する。このようにして復元した左目用原画像と右目用原画像を、アクティブ方式においては交互に出力し、パッシブ方式においては水平ラインの奇数・偶数ラインごとに左眼用/右眼用の映像を配置して出力する。
【００１１】
図９は、ＨＤＭＩの映像処理を説明する図である。同図に示すように、ＨＤＭＩの３Ｄ映像は、縦横ともに通常サイズの左目用画像と右目用画像を上下に並べてあり、高さが通常の倍のフレーム画像（以下、ＨＤＭＩフレーム画像と記載する）としてある。ＳｏＣは、当該フレーム画像に対して、各種の映像処理を行ってＦＲＣに出力する。
【００１２】
ＳｏＣは、ＨＤＭＩフレーム画像の入力中にＯＳＤの重畳を指示されると、ＯＳＤ画像を生成し、当該ＯＳＤ画像を左目用画像の所定位置と右目用画像の所定位置とにそれぞれ重畳し、ＯＳＤ画像が重畳されたＨＤＭＩフレーム画像をＦＲＣに出力する。
【００１３】
ＦＲＣは、ＨＤＭＩフレーム画像の上半分を切り出すことにより左目用原画像を復元し、ＨＤＭＩフレーム画像の下半分を切り出すことにより右目用原画像を復元する。このようにして復元した左目用原画像と右目用原画像を、アクティブ方式においては交互に出力し、パッシブ方式においては水平ラインの奇数・偶数ラインごとに左眼用/右眼用の映像を配置して出力する。
【００１４】
ここで、ＳｏＣは入力された３Ｄ映像の種類（ＳｂｙＳ、Ｔ＆Ｂ、ＨＤＭＩ）を判別する手段を有し、入力された３Ｄ映像の種類に応じた適切な位置にＯＳＤを重畳することができるが、ＦＲＣはユーザーがリモコン等を用いて設定する３Ｄ出力モード設定に応じて左目用画像と右目用画像とを生成する。すなわち、３Ｄ出力モードがＳｂｙＳに設定されている場合は、ＦＲＣは、フレーム画像の左半分を切り出して幅方向を２倍に拡大することにより左目用原画像を復元し、フレーム画像の右半分を切り出して幅方向を２倍に拡大することにより右目用原画像を復元する。また、３Ｄ出力モードがＴ＆Ｂに設定されている場合は、フレーム画像の上半分を切り出して高さ方向を２倍に拡大することにより左目用原画像を復元し、フレーム画像の下半分を切り出して高さ方向を２倍に拡大することにより右目用原画像を復元する。
【００１５】
従って、入力された３Ｄ映像の種類に対してＦＲＣにおける３Ｄ出力モード設定が不適切な場合は、下記の現象が発生する。
【００１６】
図１０は、入力された３Ｄ映像がＴ＆Ｂ、３Ｄ出力モード設定がＳｂｙＳの場合を説明する図である。同図に示すように、ＳｏＣは左目用圧縮画像と右目用圧縮画像の適切な位置にＯＳＤ画像を重畳するが、ＦＲＣはＴ＆Ｂフレーム画像の左半分を切り出して幅方向を２倍に拡大することにより左目用画像とし、Ｔ＆Ｂフレーム画像の右半分を切り出して幅方向を２倍に拡大することにより右目用画像とする。従って、画面に表示される画像やＯＳＤは視認できない。
【００１７】
図１１は、入力された３Ｄ映像がＳｂｙＳ、３Ｄ出力モード設定がＴ＆Ｂの場合を説明する図である。同図に示すように、ＳｏＣは左目用圧縮画像と右目用圧縮画像の適切な位置にＯＳＤ画像を重畳するが、ＦＲＣはＳｂｙＳフレーム画像の上半分を切り出すことにより左目用画像とし、ＳｂｙＳフレーム画像の下半分を切り出すことにより右目用画像とする。従って、画面に表示される画像やＯＳＤは視認できない。
【００１８】
図１２は、入力された３Ｄ映像がＨＤＭＩ、３Ｄ出力モード設定がＳｂｙＳの場合を説明する図である。同図に示すように、ＳｏＣは左目用画像と右目用画像の適切な位置にＯＳＤ画像を重畳するが、ＦＲＣはＨＤＭＩフレーム画像の上半分（左目用画像）の左半分を切り出すことにより左目用画像とし、ＨＤＭＩフレーム画像の上半分（左目用画像）の右半分を切り出すことにより右目用画像とする。従って、画面に表示される画像やＯＳＤは視認できない。
【００１９】
図１３は、入力された３Ｄ映像がＨＤＭＩ、３Ｄ出力モード設定がＴ＆Ｂの場合を説明する図である。同図に示すように、ＳｏＣは左目用画像と右目用画像の適切な位置にＯＳＤ画像を重畳するが、ＦＲＣはＨＤＭＩフレーム画像の上半分（左目用画像）の上半分を切り出すことにより左目用画像とし、ＨＤＭＩフレーム画像の上半分（左目用画像）の下半分を切り出すことにより右目用画像とする。従って、画面に表示される画像やＯＳＤは視認できない。
【００２０】
本発明は、上記課題に鑑みてなされたもので、第１チップにて映像処理を行った映像に対し、第２チップにて３Ｄ出力モード設定に基づいて出力画像を生成し、前記第１チップにおいてＯＳＤ画像の重畳を行う立体映像表示装置において、ユーザーが３Ｄ出力モード設定を誤った場合にＯＳＤが視認できなくなる状況を回避可能とした立体映像表示装置の提供を目的とする。
【課題を解決するための手段】
【００２１】
本発明の態様の１つは、２Ｄモードにて映像を表示中に３Ｄモードにかかる出力フォーマットの選択をユーザーから受付けると、出力モードを３Ｄモードに変更し、前記出力フォーマットに基づく３Ｄ映像の出力処理を開始する立体映像表示装置において、前記出力フォーマットと当該立体映像表示装置に入力されている映像のフォーマットとの一致判定を行うフォーマット一致判定部と、前記フォーマット一致判定部がフォーマットの一致を検出すると出力モードを３Ｄモードに確定し、前記フォーマット一致判定部がフォーマットの不一致を検出すると前記３Ｄモードの映像の出力処理をタイムアウトして出力モードを２Ｄモードに戻すタイムアウト部と、を備える構成とされる。
【００２２】
なお、上述した立体映像表示装置は、他の機器に組み込まれた状態で実施されたり他の方法とともに実施されたりする等の各種の態様を含む。また、本発明は前記立体映像表示装置を備える印刷システム、上述した装置の構成に対応した工程を有する制御方法、上述した装置の構成に対応した機能をコンピュータに実現させるプログラム、該プログラムを記録したコンピュータ読み取り可能な記録媒体、等としても実現可能である。これら立体映像表示システム、立体映像表示方法、立体映像表示プログラム、当該立体映像表示プログラムを記録した媒体、の発明も、上述した作用、効果を奏する。
【発明の効果】
【００２３】
本発明によれば、ユーザーが３Ｄの出力モード設定を誤った場合にＯＳＤが視認できなくなる状況を回避可能な立体映像表示装置を提供することができる。
請求項２にかかる発明によれば、３Ｄ映像に含まれるタグに基づいてユーザーの設定した出力フォーマットの適否を判断できる。
請求項３にかかる発明によれば、３Ｄ映像の画像解析によりユーザーの設定した出力フォーマットの適否を判断できる。
請求項４にかかる発明によれば、実際にユーザーが視認可能であるか否かに基づいて出力フォーマットの適否を判断できる。
【図面の簡単な説明】
【００２４】
【図１】３Ｄテレビの要部を示したブロック構成図である。
【図２】３Ｄ出力モード設定画面の一例を示す図である。
【図３】出力フォーマット判定の第１実施形態の流れを示すフローチャートである。
【図４】出力フォーマットの判定の一例を説明する図である。
【図５】出力フォーマット判定の第２実施形態の流れを示すフローチャートである。
【図６】所定のＯＳＤ画像の一例を示す図である。
【図７】ＳｂｙＳの場合の映像処理を説明する図である。
【図８】Ｔ＆Ｂの場合の映像処理を説明する図である。
【図９】ＨＤＭＩの場合の映像処理を説明する図である。
【図１０】入力された３Ｄ映像がＴ＆Ｂ、３Ｄ出力モード設定がＳｂｙＳの場合を説明する図である。
【図１１】入力された３Ｄ映像がＳｂｙＳ、３Ｄ出力モード設定がＴ＆Ｂの場合を説明する図である。
【図１２】入力された３Ｄ映像がＨＤＭＩ、３Ｄ出力モード設定がＳｂｙＳの場合を説明する図である。
【図１３】入力された３Ｄ映像がＨＤＭＩ、３Ｄ出力モード設定がＴ＆Ｂの場合を説明する図である。
【発明を実施するための形態】
【００２５】
以下、下記の順序に従って本発明の実施形態を説明する。
（１）本実施形態の構成：
（２）出力フォーマット判定の第１実施形態：
（３）出力フォーマット判定の第２実施形態：
（４）まとめ：
【００２６】
（１）本実施形態の構成： 
図１は、３Ｄテレビの要部を示したブロック構成図である。同図に示す３Ｄテレビ１００は、本実施形態において立体映像表示装置を構成す。３Ｄテレビ１００は、ＳｏＣ１０（システムオンチップ）、ＦＲＣ２０（フレームレートコンバーター）、マイコン３０、リモコン４０、を備えている。なお、本実施形態においては、ＳｏＣ１０が第１映像処理チップを構成し、ＦＲＣ２０が第２映像処理チップを構成する。
【００２７】
ＳｏＣ１０は、画像処理部１１と、フォーマット検出部１２と、ＯＳＤ部１３とを備えている。ＳｏＣ１０には、３Ｄ映像や２Ｄ映像が入力され、入力される映像のフレームレート（例えば６０Ｈｚ）を変更せずに各種処理を行う。画像処理部１１は、ＳｏＣ１０に入力される３Ｄ映像や２Ｄ映像に対し、輝度やコントラスト等の映像の画質調整にかかる各種の映像処理を行う。フォーマット検出部１２は、垂直機線期間に送信されるタグやＨＤＭＩのインフォフレームのタグを取得し、これらタグ情報に基づいて入力される映像のフォーマットを判断する。ＯＳＤ部１３は、マイコン３０の指示に従い、入力される映像の各フレーム画像にＯＳＤ画像を重畳する。
【００２８】
ＦＲＣ２０は、３Ｄ映像復元部２１と、フレームレート変換部２２とを備えている。３Ｄ映像復元部２１は、前記発明が解決しようとする課題の欄において図３〜図９を参照しつつ説明したように、右目用画像と左目用画像とが１枚のフレーム画像に合成されている３Ｄ映像から右目用画像と左目用画像を復元し、順次、フレームレート変換部２２へ出力する。なお、３Ｄ映像復元部２１は、入力された映像が２Ｄ画像の場合は特に何もせずにフレームレート変換部２２へ出力する。
【００２９】
マイコン３０は、３Ｄテレビ１００の全体を制御する制御主体を構成する。リモコン４０は、電源ボタンやチャンネル切換ボタン、カーソルキー４２等の他に、３Ｄ出力フォーマットを指定するための３Ｄ出力設定ボタン４１を備えている。リモコン４０は、本実施形態においてフォーマット受付部を構成する。マイコン３０は、リモコン４０から出力されるリモコン信号を受信するリモコン信号受信部を備えており、受信したリモコン信号に応じた制御を行う。例えば、３Ｄ出力設定ボタン４１の操作を示すリモコン信号を受信すると、ＯＳＤ部１３に対して３Ｄ出力モードを選択するための３Ｄ出力モード設定画面にかかるＯＳＤ画像を表示するように指示する。
【００３０】
図２は、３Ｄ出力モード設定画面の一例を示す図である。同図に示す３Ｄ出力モード設定画面では、３Ｄ出力モードとして「Ｓｉｄｅ  ｂｙ  Ｓｉｄｅ方式」と「Ｔｏｐ  ＆  Ｂｏｔｔｏｍ方式」とを選択可能とされ、ユーザーは、カーソルキー４２の上下キーを操作することによりいずれかの３Ｄ出力モードにカーソルを合わせてＥｎｔｅｒキーを操作することにより、いずれかの３Ｄ出力モードを選択することができる。以下、ユーザーがリモコン４０にて選択した３Ｄ出力モードの３Ｄフォーマットを、出力フォーマット、と記載し、実際の３Ｄ映像における３Ｄフォーマットを、入力フォーマット、と記載することにする。
【００３１】
３Ｄ映像復元部２１は、出力フォーマットにかかる情報をマイコン３０から入力されており、出力フォーマットに基づいて３Ｄ映像の復元を行う。すなわち、３Ｄ映像復元部２１は、３Ｄ映像から右目用画像と左目用画像を復元するにあたり、出力フォーマットに規定されている左目用画像や右目用画像の合成領域から画像を取得し、出力フォーマットが画像を圧縮して合成する種類のフォーマットであれば適宜に画像を拡大して左目用画像や右目用画像の原画像を復元する。
【００３２】
一方、ＯＳＤ部１３は、フォーマット検出部１２が映像から検出したフォーマットに基づいて３Ｄ映像に対するＯＳＤ画像（オンスクリーンディスプレイ画像）の重畳を行う。
【００３３】
（２）出力フォーマット判定の第１実施形態： 
図３は、出力フォーマット判定の第１実施形態の流れを示すフローチャートである。同図に示す出力フォーマットの判定は（Ｓ３０）、２Ｄモードで映像を出力しているときに（Ｓ１０）、ユーザーが３Ｄ出力設定ボタン４１を操作して出力モードを２Ｄモードから３Ｄモードの何れかに変更したときに（Ｓ２０）、実行される。このとき、３Ｄテレビ１００では、指定された出力フォーマットに基づいて復元された３Ｄ映像の出力が開始される。また、このとき、ＯＳＤ画像の重畳がマイコン３０から指示されると、フォーマット検出部１２の検出した入力フォーマットに基づいてＯＳＤ部１３がＯＳＤ画像を重畳する。
【００３４】
すなわち、２Ｄモードから３Ｄモードへ出力モードを実際に変更して、ＳｏＣ１０が入力フォーマットに基づいてＯＳＤ画像を重畳したり、ＦＲＣ２０が出力フォーマットに基づいて３Ｄ映像を復元したりしながら、並行してマイコン３０が出力フォーマットの判定を行う。
【００３５】
出力フォーマットの判定においては、例えば、フォーマット検出部１２の検出する入力フォーマットを利用する。すなわち、フォーマット検出部１２から入力フォーマットにかかる情報を取得し、リモコン４０を介してユーザーが選択した出力フォーマットと比較する（Ｓ３０）。当該ステップＳ３０において出力フォーマットと入力フォーマットとの一致を判定するマイコン３０は、本実施形態においてフォーマット一致判定部を構成する。
【００３６】
ここで、入力フォーマットと出力フォーマットが一致していれば（Ｓ３０：一致）、映像の出力モードを３Ｄモードに確定する（Ｓ４０）。一方、入力フォーマットと出力フォーマットが不一致の場合は（Ｓ３０：不一致）、３Ｄモードでの出力をタイムアウトし、出力モードを２Ｄモードに戻す（Ｓ５０，Ｓ６０）。これらステップＳ３０〜Ｓ６０を実行するマイコン３０が、本実施形態においてタイムアウト部を構成する。そして、出力モードを２Ｄモードに戻してから、ユーザーに３Ｄモードの設定が正しくないことを通知する（Ｓ７０）。すなわち、マイコン３０は、３Ｄ設定が正しくない旨を通知するＯＳＤ画像の重畳をＯＳＤ部１３に指示する。
【００３７】
従って、誤った３Ｄ設定をユーザーが行ったときに自動的にその適否が判定され、不適切な３Ｄ設定がなされたときは２Ｄモードに自動的に戻すことにより、３Ｄ映像が表示されない上に３Ｄ設定を再び行うためのＯＳＤも視認できないという状況を回避することができる。また、出力モードを２Ｄモードに戻してから通知を行うため、３Ｄ設定が正しくないことをユーザーに確実に認識させることができる。
【００３８】
なお、出力フォーマットの判定は、図４に示す手法によって実現されてもよい。図４に示す手法では、フレーム画像上に３つの領域Ａ〜Ｃが設定されている。
【００３９】
領域Ａは、ＳｂｙＳのフレーム画像上において左目用圧縮画像の合成される領域内に設定されており、領域Ｂは、ＳｂｙＳのフレーム画像上において右目用圧縮画像の合成される領域内に設定されている。ここで、領域Ａと旅域Ｂのサイズは同一とされ、領域Ａの範囲内に含まれる左目用圧縮画像と領域Ｂの範囲内に含まれる右目用圧縮画像とがほぼ同じ画像となるように設定位置を調整されている。すなわち、同図に示す距離Ｄｌ＿ＳｂｙＳと距離Ｄｒ＿ＳｂｙＳとの差分ΔＤ＿ＳｂｙＳは、ＳｂｙＳのフレーム画像における視差量と等しくなっている。
【００４０】
また、領域Ａは、Ｔ＆Ｂのフレーム上において左目用圧縮画像の合成される領域内に設定されており、領域Ｃは、Ｔ＆Ｂのフレーム画像上において右目用圧縮画像の合成される領域内に設定されている。ここで、領域Ａと旅域Ｃのサイズは同一とされ、領域Ａの範囲内に含まれる左目用圧縮画像と領域Ｃの範囲内に含まれる右目用圧縮画像とがほぼ同じ画像となるように設定位置を調整されている。すなわち、同図に示す距離Ｄｌ＿Ｔ＆Ｂと距離Ｄｒ＿Ｔ＆Ｂとの差分ΔＤ＿Ｔ＆Ｂは、Ｔ＆Ｂのフレーム画像における視差量と等しくなっている。
【００４１】
以上のように設定された領域Ａと領域Ｂの画像をピクセル単位で比較することにより、入力された映像のフォーマットがＳｂｙＳであるか否かの判断が可能であり、領域Ａと領域Ｃの画像をピクセル単位で比較することにより、入力された映像のフォーマットがＴ＆Ｂであるか否かの判断が可能となる。なお、ＨＤＭＩのフォーマットは、ＨＤＭＩ１．４のインフォフレームに含まれるタグにより確実に判断可能であるため図４に示す手法を適用する必要は無いが、むろん、同様の手法により判断を行っても構わない。
【００４２】
すなわち、領域Ａに含まれる画像と領域Ｂに含まれる画像とがある一定以上の類似度合を示した場合は、入力フォーマットがＳｂｙＳであると判定し、領域Ａに含まれる画像と領域Ｃに含まれる画像とがある一定以上の類似度合を示した場合は、入力フォーマットがＴ＆Ｂであると判定される。なお、ＳｂｙＳとＴ＆Ｂの双方である一定以上の類似度合を示した場合は、何れか一方のみが一定以上の類似度合を示すようになるまで判定を繰り返したり、逆に、モノトーン画像が入力されていると判断してＳｂｙＳとＴ＆Ｂの何れでもないと判定したり、することが考えられる。
【００４３】
（３）出力フォーマット判定の第２実施形態： 
図５は、出力フォーマット判定の第２実施形態の流れを示すフローチャートである。同図に示す出力フォーマットの判定は（Ｓ１３０、Ｓ１４０）、２Ｄモードで映像を出力しているときに（Ｓ１１０）、ユーザーが３Ｄ出力設定ボタン４１を操作して出力モードを２Ｄモードから３Ｄモードの何れかに変更したときに（Ｓ１２０）、実行される。このとき、３Ｄテレビ１００では、指定された出力フォーマットに基づいて復元された３Ｄ映像の出力が開始される。また、このとき、所定のＯＳＤ画像の重畳がマイコン３０から指示されるようになっており（Ｓ１３０）、フォーマット検出部１２の検出した入力フォーマットに基づいてＯＳＤ部１３が当該所定のＯＳＤ画像を重畳する。
【００４４】
図６は、このようにして表示される所定のＯＳＤ画像の一例を示す図である。同図に示すように、所定のＯＳＤ画像は、当該ＯＳＤ画像が視認可能か否かをユーザーに問合せる内容となっており、当該画像が視認できる場合はリモコン４０に対して所定の操作入力（図では、確定（Ｅｎｔｅｒ）ボタンの押下げ）を行うようにユーザーに指示する内容となっている。入力フォーマットと出力フォーマットとが一致していれば、ユーザーは当該ＯＳＤ画像を視認できる。
【００４５】
ここで、ユーザーが所定時間内に所定の操作入力をリモコン４０に対して行えば（Ｓ１４０：ＹＥＳ）、入力フォーマットと出力フォーマットが一致しているものとして映像の出力モードを３Ｄモードに確定する（Ｓ１５０）。一方、ユーザーが所定時間内に所定の操作入力をリモコン４０に対して行わなかったときは（Ｓ１４０：ＮＯ）、入力フォーマットと出力フォーマットが不一致であるものとして、３Ｄモードでの出力をタイムアウトし、出力モードを２Ｄモードに戻す（Ｓ１６０，Ｓ１７０）。そして、出力モードを２Ｄモードに戻してから、ユーザーに３Ｄモードの設定が正しくないことを通知する（Ｓ１８０）。
【００４６】
すなわち、マイコン３０は、３Ｄ設定が正しくない旨を通知するＯＳＤ画像の重畳をＯＳＤ部１３に指示する。従って、誤った３Ｄ設定をユーザーが行ったときに自動的にその適否が判定され、不適切な３Ｄ設定がなされたときは２Ｄモードに自動的に戻すことにより、３Ｄ映像が表示されない上に３Ｄ設定を再び行うためのＯＳＤも視認できないという状況を回避することができる。また、出力モードを２Ｄモードに戻してから通知を行うため、３Ｄ設定が正しくないことをユーザーに確実に認識させることができる。
【００４７】
（４）まとめ： 
以上説明した実施形態によれば、２Ｄモードにて映像を表示中に３Ｄモードにかかる出力フォーマットの選択をユーザーから受付けると、出力モードを３Ｄモードに変更し、前記出力フォーマットに基づく３Ｄ映像の出力処理を開始する３Ｄテレビ１００において、出力フォーマットと入力フォーマットとの一致判定を行い、フォーマットの一致を検出すると出力モードを３Ｄモードに確定し、フォーマットの不一致を検出すると３Ｄモードの映像の出力処理をタイムアウトして出力モードを２Ｄモードに戻すようになっている。よって、ユーザーが３Ｄの出力モード設定を誤った場合にＯＳＤが視認できなくなる状況を回避可能となる。
【００４８】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００４９】
１０…ＳｏＣ、１１…画像処理部、１２…フォーマット検出部、１３…ＯＳＤ部、２０…ＦＲＣ、２１…３Ｄ映像復元部、２２…フレームレート変換部、３０…マイコン、４０…リモコン、４１…３Ｄ出力設定ボタン、４２…カーソルキー、１００…３Ｄテレビ
【図１】
2012244571.tif 000003
【図２】
2012244571.tif 000004
【図３】
2012244571.tif 000005
【図４】
2012244571.tif 000006
【図５】
2012244571.tif 000007
【図６】
2012244571.tif 000008
【図７】
2012244571.tif 000009
【図８】
2012244571.tif 000010
【図９】
2012244571.tif 000011
【図１０】
2012244571.tif 000012
【図１１】
2012244571.tif 000013
【図１２】
2012244571.tif 000014
【図１３】
2012244571.tif 000015